(57)【要約】      （修正有）【課題】既設天井照明によるかごの内側の照度を容易に調整できるエレベーターのかごの既設天井照明の調光装置およびエレベーターのかごの既設天井照明の調光方法を提供する。【解決手段】調光装置６の調光シート１１は、エレベーターのかごの天井に既設の照明装置５の光源７より下方において照明装置５の互いに対向する第１側板８および第２側板９の間に張られる。調光シート１１は、可視光を透過させる。収納部１２は、光源７より下方において第１側板８に取り付けられる。収納部１２は、調光シート１１の端部が繰り出された状態で調光シート１１を収納する。保持部１３は、光源７より下方において第２側板９に取り付けられる。保持部１３は、第２側板９に調光シート１１の端部を保持する。【選択図】図５
2020040793.tif 000002
【特許請求の範囲】
【請求項１】
エレベーターのかごの天井に既設の照明装置の光源より下方において前記照明装置の互いに対向する第１側板および第２側板の間に張られ、可視光を透過させる調光シートと、
前記光源より下方において前記第１側板に取り付けられ、前記調光シートの端部が繰り出された状態で前記調光シートを収納する収納部と、
前記光源より下方において前記第２側板に取り付けられ、前記調光シートの端部を前記第２側板に保持する保持部と、
を備えるエレベーターのかごの既設天井照明の調光装置。
【請求項２】
前記保持部は、前記第２側板に吸着する磁石によって取り付けられる請求項１に記載のエレベーターのかごの既設天井照明の調光装置。
【請求項３】
前記光源より下方において前記第２側板に取り付けられ、前記第１側板の方向から張られる前記調光シートを折り返す第１折返し部と、
前記収納部より下方において前記第１側板に取り付けられ、前記第２側板の方向から張られる前記調光シートを折り返す第２折返し部と、
を備え、
前記保持部は、前記第１折返し部より下方において前記第２側板に取り付けられる請求項１または請求項２に記載のエレベーターのかごの既設天井照明の調光装置。
【請求項４】
前記光源より下方において前記第２側板との間に前記調光シートの幅より長い隙間をあけて前記第２側板に取り付けられ、前記第１側板の方向から張られる前記調光シートを折り返す第１折返し部
を備え、
前記収納部は、前記第１側板との間に前記調光シートの幅より長い隙間をあけて設けられ、
前記調光シートは、前記収納部および前記第１折返し部に１周以上巻き回される請求項１または請求項２に記載のエレベーターのかごの既設天井照明の調光装置。
【請求項５】
エレベーターのかごの天井に既設の照明装置の光源より下方において前記照明装置の互いに対向する第１側板および第２側板の間に張られ、可視光を透過させる調光シートと、
前記光源より下方において前記第１側板に取り付けられ、前記調光シートの端部が繰り出された状態で前記調光シートを収納する収納部と、
前記光源より下方において前記第２側板に取り付けられ、前記第１側板の方向から張られる前記調光シートを折り返す第１折返し部と、
前記収納部より下方において前記第１側板に取り付けられ、前記調光シートの端部を前記第１側板に保持する保持部と、
を備えるエレベーターのかごの既設天井照明の調光装置。
【請求項６】
前記保持部は、前記第１側板に吸着する磁石によって取り付けられる請求項５に記載のエレベーターのかごの既設天井照明の調光装置。
【請求項７】
エレベーターのかごの天井に既設の照明装置の光源より下方において前記照明装置の互いに対向する第１側板および第２側板の間に張られ、可視光を透過させる調光シートと、
前記光源より下方において前記第１側板に取り付けられ、前記調光シートの端部が繰り出された状態で前記調光シートを収納する収納部と、
前記光源より下方において前記第２側板に取り付けられ、前記第１側板の方向から張られる前記調光シートを折り返す第１折返し部と、
前記収納部に設けられ、前記調光シートの端部を前記第１側板に保持する保持部と、
を備えるエレベーターのかごの既設天井照明の調光装置。
【請求項８】
前記収納部は、前記第１側板との間に前記調光シートの幅より長い隙間をあけて設けられ、
前記第１折返し部は、前記第２側板との間に前記調光シートの幅より長い隙間をあけて設けられ、
前記調光シートは、前記収納部および前記第１折返し部に１周以上巻き回される請求項５から請求項７のいずれか一項に記載のエレベーターのかごの既設天井照明の調光装置。
【請求項９】
前記第１折返し部は、前記第２側板に取り付けられ前記第１側板の方向から張られる前記調光シートを下方に折り曲げる上部曲げ部と、前記上部曲げ部と独立に前記第２側板に取り付けられ前記上部曲げ部で折り曲げられた前記調光シートを前記第１側板の方向に折り曲げる下部曲げ部と、を備える請求項３から請求項８のいずれか一項に記載のエレベーターのかごの既設天井照明の調光装置。
【請求項１０】
前記調光シートは、前記照明装置の照明板より上方において前記第１側板および前記第２側板の間に張られる請求項１から請求項９のいずれか一項に記載のエレベーターのかごの既設天井照明の調光装置。
【請求項１１】
前記収納部は、前記第１側板に吸着する磁石によって取り付けられる請求項１から請求項１０のいずれか一項に記載のエレベーターのかごの既設天井照明の調光装置。
【請求項１２】
前記保持部は、前記調光シートの端部に設けられる請求項１から請求項１１のいずれか一項に記載のエレベーターのかごの既設天井照明の調光装置。
【請求項１３】
前記調光シートより下方において前記第１側板および前記第２側板の間に張られ、可視光を透過させる下部調光シートと、
前記調光シートより下方において前記第１側板に取り付けられ、前記下部調光シートの端部が繰り出された状態で前記下部調光シートを収納する下部収納部と、
前記調光シートより下方において前記第２側板に取り付けられ、前記下部調光シートの端部を前記第２側板に保持する下部保持部と、
を備える請求項１から請求項１２のいずれか一項に記載のエレベーターのかごの既設天井照明の調光装置。
【請求項１４】
エレベーターのかごの天井に既設の照明装置の光源より下方において前記照明装置の互いに対向する第１側板および第２側板の下端に支持される前記照明装置の照明板を取り外す開放工程と、
可視光を透過させる調光シートの端部が繰り出された状態で前記調光シートを収納する収納部を前記光源より下方において前記第１側板に取り付ける取付け工程と、
前記調光シートを前記収納部から繰り出し、前記第２側板に取り付けられる保持部に前記調光シートの端部を前記第２側板に保持させることで前記調光シートを前記第１側板および前記第２側板の間に張る調光工程と、
前記開放工程において取り外された前記照明板を前記調光シートより下方に取り付ける復旧工程と、
を備えるエレベーターのかごの既設天井照明の調光方法。
【請求項１５】
前記取付け工程において、前記収納部が前記第１側板との間に前記調光シートの幅より長い隙間をあけて設けられ、前記第１側板の方向から張られる前記調光シートを折り返す第１折返し部が前記光源より下方において前記第２側板との間に前記調光シートの幅より長い隙間をあけて前記第２側板に取り付けられ、
前記調光工程において、前記調光シートが前記収納部および前記第１折返し部に１周以上巻き回される請求項１４に記載のエレベーターのかごの既設天井照明の調光方法。
【請求項１６】
エレベーターのかごの天井に既設の照明装置の光源より下方において前記照明装置の互いに対向する第１側板および第２側板の下端に支持される前記照明装置の照明板を取り外す開放工程と、
可視光を透過させる調光シートの端部が繰り出された状態で前記調光シートを収納する収納部を前記光源より下方において前記第１側板に取り付け、前記第１側板の方向から張られる前記調光シートを折り返す第１折返し部を前記光源より下方において前記第２側板に取り付ける取付け工程と、
前記調光シートを前記収納部から繰り出し、前記調光シートを前記第１折返し部で折り返し、前記第１側板に取り付けられる保持部に前記調光シートの端部を前記第１側板に保持させることで前記調光シートを前記第１側板および前記第２側板の間に張る調光工程と、
前記開放工程において取り外された前記照明板を前記調光シートより下方に取り付ける復旧工程と、
を備えるエレベーターのかごの既設天井照明の調光方法。
【請求項１７】
エレベーターのかごの天井に既設の照明装置の光源より下方において前記照明装置の互いに対向する第１側板および第２側板の下端に支持される前記照明装置の照明板を取り外す開放工程と、
可視光を透過させる調光シートの端部が繰り出された状態で前記調光シートを収納する収納部を前記光源より下方において前記第１側板に取り付け、前記第１側板の方向から張られる前記調光シートを折り返す第１折返し部を前記光源より下方において前記第２側板に取り付ける取付け工程と、
前記調光シートを前記収納部から繰り出し、前記調光シートを前記第１折返し部で折り返し、前記収納部に設けられる保持部に前記調光シートの端部を保持させることで前記調光シートを前記第１側板および前記第２側板の間に張る調光工程と、
前記開放工程において取り外された前記照明板を前記調光シートより下方に取り付ける復旧工程と、
を備えるエレベーターのかごの既設天井照明の調光方法。
【請求項１８】
前記取付け工程において、前記収納部が前記第１側板との間に前記調光シートの幅より長い隙間をあけて設けられ、前記第１折返し部が前記第２側板との間に前記調光シートの幅より長い隙間をあけて設けられ、
前記調光工程において、前記調光シートが前記収納部および前記第１折返し部に１周以上巻き回される請求項１６または請求項１７に記載のエレベーターのかごの既設天井照明の調光方法。
【発明の詳細な説明】
【技術分野】
【０００１】
本発明は、エレベーターのかごの既設天井照明の調光装置およびエレベーターのかごの既設天井照明の調光方法に関する。
【背景技術】
【０００２】
特許文献１にエレベーターのかごの天井に設けられる照明装置の例が記載されている。照明装置は、光源と照明板との間に調光板を備える。照明装置において、調光板と照明板との間隔の調整によってかごの内側の照度が調整される。
【先行技術文献】
【特許文献】
【０００３】
【特許文献１】特開平４−７５９９１号公報
【発明の概要】
【発明が解決しようとする課題】
【０００４】
しかしながら、特許文献１に記載の照明装置は、当該照明装置の寸法に合わせて予め設けられた調光板によってかごの内側の照度を調整する。このため、照明装置が既に設けられているかごについて、当該かごの内側の照度を容易に調整できない。
【０００５】
本発明は、このような課題を解決するためになされた。本発明の目的は、既設天井照明によるかごの内側の照度を容易に調整できるエレベーターのかごの既設天井照明の調光装置およびエレベーターのかごの既設天井照明の調光方法を提供することである。
【課題を解決するための手段】
【０００６】
本発明に係るエレベーターのかごの既設天井照明の調光装置は、エレベーターのかごの天井に既設の照明装置の光源より下方において照明装置の互いに対向する第１側板および第２側板の間に張られ、可視光を透過させる調光シートと、光源より下方において第１側板に取り付けられ、調光シートの端部が繰り出された状態で調光シートを収納する収納部と、光源より下方において第２側板に取り付けられ、調光シートの端部を第２側板に保持する保持部と、を備える。
【０００７】
本発明に係るエレベーターのかごの既設天井照明の調光装置は、エレベーターのかごの天井に既設の照明装置の光源より下方において照明装置の互いに対向する第１側板および第２側板の間に張られ、可視光を透過させる調光シートと、光源より下方において第１側板に取り付けられ、調光シートの端部が繰り出された状態で調光シートを収納する収納部と、光源より下方において第２側板に取り付けられ、第１側板の方向から張られる調光シートを折り返す第１折返し部と、収納部より下方において第１側板に取り付けられ、調光シートの端部を第１側板に保持する保持部と、を備える。
【０００８】
本発明に係るエレベーターのかごの既設天井照明の調光装置は、エレベーターのかごの天井に既設の照明装置の光源より下方において照明装置の互いに対向する第１側板および第２側板の間に張られ、可視光を透過させる調光シートと、光源より下方において第１側板に取り付けられ、調光シートの端部が繰り出された状態で調光シートを収納する収納部と、光源より下方において第２側板に取り付けられ、第１側板の方向から張られる調光シートを折り返す第１折返し部と、収納部に設けられ、調光シートの端部を第１側板に保持する保持部と、を備える。
【０００９】
本発明に係るエレベーターのかごの既設天井照明の調光方法は、エレベーターのかごの天井に既設の照明装置の光源より下方において照明装置の互いに対向する第１側板および第２側板の下端に支持される照明装置の照明板を取り外す開放工程と、可視光を透過させる調光シートの端部が繰り出された状態で調光シートを収納する収納部を光源より下方において第１側板に取り付ける取付け工程と、調光シートを収納部から繰り出し、第２側板に取り付けられる保持部に調光シートの端部を第２側板に保持させることで調光シートを第１側板および第２側板の間に張る調光工程と、開放工程において取り外された照明板を調光シートより下方に取り付ける復旧工程と、を備える。
【００１０】
本発明に係るエレベーターのかごの既設天井照明の調光方法は、エレベーターのかごの天井に既設の照明装置の光源より下方において照明装置の互いに対向する第１側板および第２側板の下端に支持される照明装置の照明板を取り外す開放工程と、可視光を透過させる調光シートの端部が繰り出された状態で調光シートを収納する収納部を光源より下方において第１側板に取り付け、第１側板の方向から張られる調光シートを折り返す第１折返し部を光源より下方において第２側板に取り付ける取付け工程と、調光シートを収納部から繰り出し、調光シートを第１折返し部で折り返し、第１側板に取り付けられる保持部に調光シートの端部を第１側板に保持させることで調光シートを第１側板および第２側板の間に張る調光工程と、開放工程において取り外された照明板を調光シートより下方に取り付ける復旧工程と、を備える。
【００１１】
本発明に係るエレベーターのかごの既設天井照明の調光方法は、エレベーターのかごの天井に既設の照明装置の光源より下方において照明装置の互いに対向する第１側板および第２側板の下端に支持される照明装置の照明板を取り外す開放工程と、可視光を透過させる調光シートの端部が繰り出された状態で調光シートを収納する収納部を光源より下方において第１側板に取り付け、第１側板の方向から張られる調光シートを折り返す第１折返し部を光源より下方において第２側板に取り付ける取付け工程と、調光シートを収納部から繰り出し、調光シートを第１折返し部で折り返し、収納部に設けられる保持部に調光シートの端部を保持させることで調光シートを第１側板および第２側板の間に張る調光工程と、開放工程において取り外された照明板を調光シートより下方に取り付ける復旧工程と、を備える。
【発明の効果】
【００１２】
これらの発明によれば、調光シートは、エレベーターのかごの天井に既設の照明装置の光源より下方において照明装置の互いに対向する第１側板および第２側板の間に張られる。調光シートは、可視光を透過させる。収納部は、光源より下方において第１側板に取り付けられる。収納部は、調光シートの端部が繰り出された状態で調光シートを収納する。保持部は、光源より下方において第２側板または第１側板のいずれかに取り付けられる。保持部は、第２側板または第１側板のいずれかのうち保持部が取り付けられた方に調光シートの端部を保持する。これにより、既設天井照明によるかごの内側の照度を容易に調整できる。
【図面の簡単な説明】
【００１３】
【図１】実施の形態１に係る調光装置が適用されるエレベーターのかごの図である。
【図２】実施の形態１に係る調光装置が設けられる照明装置の垂直断面図である。
【図３】実施の形態１に係る調光シートの斜視図である。
【図４】実施の形態１に係る保持部の斜視図である。
【図５】実施の形態１に係る調光装置が設けられる照明装置の垂直断面図である。
【図６】実施の形態２に係る調光装置が設けられる照明装置の垂直断面図である。
【図７】実施の形態３に係る調光装置が設けられる照明装置の垂直断面図である。
【図８】実施の形態４に係る調光装置が設けられる照明装置の垂直断面図である。
【図９】実施の形態５に係る調光装置が設けられる照明装置の垂直断面図である。
【図１０】実施の形態６に係る調光装置が設けられる照明装置の垂直断面図である。
【図１１】実施の形態７に係る調光装置が設けられる照明装置の垂直断面図である。
【発明を実施するための形態】
【００１４】
本発明を実施するための形態について添付の図面を参照しながら説明する。各図において、同一または相当する部分には同一の符号を付して、重複する説明は適宜に簡略化または省略する。
【００１５】
実施の形態１．
図１は、実施の形態１に係る調光装置が適用されるエレベーターのかごの図である。
【００１６】
図１において、エレベーターのかご１の内側が示される。エレベーターは、建築物に設けられる。建築物は、複数の階を備える。エレベーターにおいて、図示されない昇降路は複数の階を貫く。エレベーターは、かご１を備える。かご１は、例えば巻上機によって昇降路の内部を鉛直方向に走行することで、複数の階の間で利用者２を輸送する装置である。かご１は、例えば直方体状の形状である。かご１は、かご扉３を備える。かご扉３は、かご１が複数の階のいずれかに停止しているときに、利用者２がかご１に乗降しうるように開閉する装置である。かご扉３は、かご１の側面に設けられる。かご１は、かご操作盤４を備える。かご操作盤４は、利用者２によるかご呼びの操作を受け付ける装置である。かご操作盤４は、かご１の側面に設けられる。かご１は、照明装置５を備える。照明装置５は、かご１の内側を照らす装置である。照明装置５は、かご１の天井に設けられる。照明装置５は、既設天井照明の例である。エレベーターにおいて、図示されない乗場は、建築物の各階に設けられる。乗場は、昇降路に対向する。エレベーターにおいて、乗場扉は、乗場に設けられる。乗場扉は、かご扉３の開閉に連動して開閉する装置である。
【００１７】
ここで、照明装置５によって、かご１の内側における照度が高すぎる場合に、乗場における照度との差が生じることがある。このときに、照度の差を低減するために、既設の照明装置５に新設の調光装置６が取り付けられる。
【００１８】
図２は、実施の形態１に係る調光装置が設けられる照明装置の垂直断面図である。
【００１９】
照明装置５は、光源７と、第１側板８と、第２側板９と、照明板１０と、を備える。
【００２０】
光源７は、可視光を発生させる装置である。光源７は、例えばＬＥＤ（Ｌｉｇｈｔ  Ｅｍｉｔｔｉｎｇ  Ｄｉｏｄｅ）照明である。この例において、光源７は、例えば全光束、光度または輝度を可変とする調光機能を有していない。光源７は、照明装置５の上部に設けられる。
【００２１】
第１側板８は、照明装置５の内側面の一部をなす板状の部材である。第１側板８は、光源７より下方に設けられる。第１側板８は、例えば鉛直面内に設けられる。第１側板８は、磁石に吸着される材料によって形成される。磁石に吸着される材料は、例えば鉄などを含む金属材料である。
【００２２】
第２側板９は、照明装置５の内側面の一部をなす板状の部材である。第２側板９は、光源７より下方に設けられる。第２側板９は、例えば鉛直面内に設けられる。第２側板９は、磁石に吸着される材料によって形成される。第２側板９は、第１側板８に対向する。第２側板９は、第１側板８に平行に設けられる。
【００２３】
照明板１０は、照明装置５の下面をなす板状の部材である。照明板１０の一部または全部は、可視光を拡散させて透過させる材料によって形成される。照明板１０の端部は、第１側板８および第２側板９の下端に支持される。
【００２４】
調光装置６は、既設の照明装置５に取り付けることでかご１の内側における照度を調整する装置である。調光装置６は、照明装置５の内部に取り付けられる。調光装置６は、光源７より下方に設けられる。調光装置６は、照明板１０より上方に設けられる。調光装置６は、第１側板８および第２側板９の間に設けられる。調光装置６は、調光シート１１と、収納部１２と、保持部１３と、を備える。
【００２５】
調光シート１１は、可視光を透過させるシートである。調光シート１１は、例えば透明な樹脂で形成される。調光シート１１は、光源７より下方において、第１側板８および第２側板９の間に張られる。調光シート１１は、照明板１０より上方において、第１側板８および第２側板９の間に張られる。調光シート１１の幅方向は、第１側板８および第２側板９の延びる方向である。図２において、調光シート１１の幅方向は、紙面に垂直な向きである。調光シート１１の幅は、光源７の幅より広い。調光シート１１の幅は、第１側板８および第２側板９の延びる長さより短い。調光シート１１は、引掛け棒１４を備える。引掛け棒１４は、調光シート１１の端部に設けられる。引掛け棒１４は、調光シート１１の幅方向に延びる棒である。引掛け棒１４の長さは、調光シート１１の幅より長い。
【００２６】
収納部１２は、調光シート１１の端部が繰り出された状態で調光シート１１を収納する部分である。収納部１２は、第１側板８に取り付けられる。収納部１２は、ロール芯１５と、一対の芯ホルダー１６と、を備える。ロール芯１５は、調光シート１１を巻き取る芯材である。ロール芯１５は、調光シート１１の幅方向に延びる。ロール芯１５の長さは、調光シート１１の幅より長い。一対の芯ホルダー１６は、ロール芯１５を支持する部材である。一対の芯ホルダー１６の各々は、磁石１７ａを備える。一対の芯ホルダー１６の各々は、磁石１７ａが吸着することによって第１側板８に取り付けられる。一対の芯ホルダー１６の一方は、ロール芯１５の一端を回転可能に支持する。一対の芯ホルダー１６の他方は、ロール芯１５の他端を回転可能に支持する。
【００２７】
保持部１３は、調光シート１１の端部を第２側板９に保持する部分である。保持部１３は、一対の受け部１８を備える。一対の受け部１８は、引掛け棒１４の両端を受ける部分である。一対の受け部１８の各々は、例えば上方に開くコの字状の形状である。一対の受け部１８の各々は、磁石１７ｂを備える。一対の受け部１８の各々は、磁石１７ｂが吸着することによって第２側板９に取り付けられる。
【００２８】
図３は、実施の形態１に係る調光シートの斜視図である。
【００２９】
調光シート１１は、ロール芯１５によって巻取り可能な程度に柔軟な材料で形成される。調光シート１１の端部に設けられる引掛け棒１４は、収納部１２のロール芯１５から繰り出される。
【００３０】
図４は、実施の形態１に係る保持部の斜視図である。
【００３１】
一対の受け部１８の一方は、引掛け棒１４の一端を下方から受けることによって第２側板９に保持する。一対の受け部１８の他方は、引掛け棒１４の他端を下方から受けることによって第２側板９に保持する。
【００３２】
続いて、図５を用いて調光装置６の取付けによる照明装置５の調光方法を説明する。
図５は、実施の形態１に係る調光装置が設けられる照明装置の垂直断面図である。
【００３３】
まず、照明装置５の調光をする作業員は、開放工程として、照明板１０を取り外す。
【００３４】
次に、作業員は、取付け工程の作業を行う。作業員は、磁石１７ａを第１側板８に吸着させることによって、一対の芯ホルダー１６の各々を第１側板８に取り付ける。このとき、一対の芯ホルダー１６の各々は、光源７より下方に取り付けられる。作業員は、調光シート１１を巻き取ることで収納しているロール芯１５を一対の芯ホルダー１６の上に乗せる。ここで、一対の芯ホルダー１６の各々は、例えば上方に開くコの字状の形状である。
【００３５】
次に、作業員は、調光工程の作業を行う。作業員は、磁石１７ｂを第２側板９に吸着させることによって、一対の受け部１８の各々を第２側板９に取り付ける。作業員は、調光シート１１の端部の引掛け棒１４を収納部１２から繰り出す。作業員は、引掛け棒１４を一対の受け部１８の上に乗せることで、調光シート１１を第１側板８と第２側板９との間に水平に張る。
【００３６】
次に、作業員は、復旧工程として、開放工程において取り外した照明板１０を第１側板８および第２側板９の下端に取り付ける。
【００３７】
この例において、作業員は、照明装置５の調光の作業の間に光源７を交換しない。
【００３８】
以上に説明したように、実施の形態１に係る調光装置６は、調光シート１１と、収納部１２と、保持部１３と、を備える。照明装置５は、エレベーターのかごの天井に既設の装置である。照明装置５の第１側板８および第２側板９は、互いに対向する。調光シート１１は、照明装置５の光源７より下方において第１側板８および第２側板９の間に張られる。調光シート１１は、可視光を透過させる。収納部１２は、光源７より下方において第１側板８に取り付けられる。収納部１２は、調光シート１１の端部が繰り出された状態で調光シート１１を収納する。保持部１３は、光源７より下方において第２側板９に取り付けられる。保持部１３は、調光シート１１の端部を第２側板９に保持する。
【００３９】
また、実施の形態１に係る調光方法は、開放工程と、取付け工程と、調光工程と、復旧工程と、を備える。照明装置５は、エレベーターのかごの天井に既設の装置である。照明装置５の第１側板８および第２側板９は、照明装置５の光源７より下方において互いに対向する。照明装置５の照明板１０は、第１側板８および第２側板９の下端に支持される。開放工程において、照明板１０は、取り外される。調光シート１１は、可視光を透過させる部材である。収納部１２は、調光シート１１の端部が繰り出された状態で調光シート１１を収納する部分である。取付け工程において、収納部１２は、光源７より下方において第１側板８に取り付けられる。保持部１３は、調光シート１１の端部を第２側板９に保持する部分である。保持部１３は、第２側板９に取り付けられる。調光工程において、調光シート１１は、収納部１２から繰り出される。調光工程において、保持部１３によって調光シート１１の端部が第２側板９に保持されることで、調光シート１１は、第１側板８および第２側板９の間に張られる。開放工程において取り外された照明板１０は、復旧工程において、調光シート１１より下方に取り付けられる。
【００４０】
調光シート１１は、照明装置５の光源７より下方において第１側板８および第２側板９の間に張られる。光源７から発生した可視光は、空気中を伝播して下方の調光シート１１に達する。可視光の一部は、調光シート１１によって吸収される。可視光の一部は、調光シート１１によって反射する。調光シート１１は、例えば表面の微細な凹凸などにより、入射する可視光および透過する可視光を拡散させる。反射または拡散された可視光の一部は、照明装置５の内面などに吸収される。このため、照明装置５から下方に放射される可視光の光量は、調光シート１１によって減少する。これにより、既設天井照明によるかご１の内側の照度を容易に調整できる。例えば全光束、光度または輝度を可変とする調光機能を光源７が有していない既設の照明装置５においても、かご１の内側の照度を容易に調整できる。
【００４１】
調光シート１１は、収納部１２に収納された状態から繰り出される。照明装置５の第１側板８と第２側板９との間隔に応じて調光シート１１を繰り出す長さを調整することによって、作業員は、既設の照明装置５の寸法に合わせて調光装置６を容易に取り付けられる。
【００４２】
また、調光シート１１は、照明装置５の照明板１０より上方において第１側板８および第２側板９の間に張られる。
【００４３】
調光装置６は、照明板１０によってかご１の内側の空間から隠蔽される。これにより、調光装置６を追加することによって既設の照明装置５の外観が損なわれない。
【００４４】
また、収納部１２は、第１側板８に吸着する磁石１７ａによって取り付けられる。
【００４５】
これにより、作業員は、第１側板８を加工することなく収納部１２を取り付けられる。また、作業員は、工具を用いずに収納部１２を取り付けられる。このため、作業員は、既設の照明装置５に調光装置６を容易に取り付けられる。また、収納部１２の取り外しも容易になる。このため、収納部１２の取付け位置の調整が容易になる。
【００４６】
また、保持部１３は、第２側板９に吸着する磁石１７ｂによって取り付けられる。
【００４７】
これにより、作業員は、第２側板９を加工することなく保持部１３を取り付けられる。また、作業員は、工具を用いずに保持部１３を取り付けられる。このため、作業員は、既設の照明装置５に調光装置６を容易に取り付けられる。また、保持部１３の取り外しも容易になる。このため、保持部１３の取付け位置の調整が容易になる。
【００４８】
また、収納部１２は、調光シート１１をロール芯１５に巻き取ることで収納する。収納部１２は、調光シート１１を折らずに収納する。このため、折り目などによるムラが調光シート１１を透過した可視光に生じにくい。
【００４９】
なお、収納部１２は、蛇腹状に折られた調光シート１１を収納する例えば箱状の部材であってもよい。このとき、収納部１２は、調光シート１１を巻き取る芯材を必要としない。このため、収納部１２がコンパクトになる。
【００５０】
収納部１２は、可視光を調光シート１１より強く遮蔽しうる。このため、収納部１２は、第１側板８において、光源７によって収納部１２の影が生じない位置に取り付けられる。このことから、収納部１２がコンパクトになることで、調光装置６が取付けられる位置の自由度が高くなる。
【００５１】
また、作業員は、第１側板８の加工を必要としない方法によって収納部１２または保持部１３を第１側板８に取り付けてもよい。収納部１２または保持部１３は、例えば接着剤、粘着テープまたは吸盤などによって第１側板８に取り付けられてもよい。作業員は、工具を用いずに収納部１２または保持部１３を取り付けられる。
【００５２】
また、調光シート１１は、透明材料で形成されたものでなくてもよい。調光シート１１は、例えば薄い布などの微細な孔を有する面状部材で形成されてもよい。
【００５３】
また、一対の芯ホルダー１６は、ロール芯１５の端部を回転可能に保持する例えば軸受けを備えてもよい。一対の芯ホルダー１６の一方または両方は、ロール芯１５に調光シート１１を巻き取る方向の弾性力を加える巻き戻しバネを備えてもよい。これにより、第１側板８および第２側板９の間に張られる調光シート１１に張力が加えられる。このため、しわなどによるムラが調光シート１１を透過した可視光に生じることが抑制される。
【００５４】
また、保持部１３は、収納部１２から繰り出される調光シート１１の端部を巻き取るロール芯を備えてもよい。このとき、調光シート１１は、ロール芯に巻き取られる方向について連続的に調光性能が変化するものであってもよい。あるいは、調光シート１１は、ロール芯に巻き取られる方向について段階的に調光性能が変化するものであってもよい。ここで、調光性能は、照明装置５から下方に放射される可視光の光量を減少させる調光シート１１の性能である。調光性能は、例えば調光シート１１の厚さ、調光シート１１の表面粗さ、または調光シート１１の不透明度などによって変化する。調光工程において、作業員は、調光シート１１のロール芯に巻き取られる方向の位置によってかご１の内側の照度を微調整してもよい。
【００５５】
一対の受け部１８の各々は、例えば引掛け棒１４の各々の端部を通す軸受けであってもよい。一対の受け部１８の各々は、引掛け棒１４が外れることを防ぐ外れ止めを備えてもよい。
【００５６】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００５７】
図６は、実施の形態２に係る調光装置が設けられる照明装置の垂直断面図である。
【００５８】
調光装置６は、下部調光シート１９と、下部収納部２０と、下部保持部２１と、を備える。
【００５９】
下部調光シート１９は、可視光を透過させるシートである。下部調光シート１９は、例えば調光シート１１と同一の材料によって形成される。下部調光シート１９は、調光シート１１より下方において、第１側板８および第２側板９の間に張られる。下部調光シート１９は、照明板１０より上方において、第１側板８および第２側板９の間に張られる。下部調光シート１９の幅は、光源７の幅より広い。下部調光シート１９の幅は、第１側板８および第２側板９の延びる長さより短い。下部調光シート１９は、引掛け棒１４を備える。
【００６０】
下部収納部２０は、下部調光シート１９を収納する部分である。下部収納部２０は、第１側板８に取付けられる。下部収納部２０は、ロール芯１５と、一対の芯ホルダー１６と、を備える。
【００６１】
下部保持部２１は、下部調光シート１９の端部を第１側板８に保持する部分である。下部保持部２１は、一対の受け部１８を備える。
【００６２】
続いて、調光装置６の取付けによる照明装置５の調光方法を説明する。
【００６３】
まず、照明装置５の調光をする作業員は、開放工程として、照明板１０を取り外す。
【００６４】
次に、作業員は、取付け工程の作業を行う。作業員は、磁石１７ａを第１側板８に吸着させることによって、収納部１２の一対の芯ホルダー１６の各々を第１側板８に取り付ける。このとき、収納部１２の一対の芯ホルダー１６の各々は、光源７より下方に取り付けられる。作業員は、調光シート１１を巻き取ることで収納している収納部１２のロール芯１５を収納部１２の一対の芯ホルダー１６の上に乗せる。
【００６５】
取付け工程において、作業員は、磁石１７ａを第１側板８に吸着させることによって、下部収納部２０の一対の芯ホルダー１６の各々を第１側板８に取り付ける。このとき、下部収納部２０の一対の芯ホルダー１６の各々は、収納部１２の一対の芯ホルダー１６の各々より下方に取り付けられる。作業員は、下部調光シート１９を巻き取ることで収納している下部収納部２０のロール芯１５を下部収納部２０の一対の芯ホルダー１６の上に乗せる。
【００６６】
次に、作業員は、調光工程の作業を行う。作業員は、磁石１７ｂを第２側板９に吸着させることによって、保持部１３の一対の受け部１８の各々を第２側壁に取り付ける。作業員は、調光シート１１の端部の引掛け棒１４を収納部１２から繰り出す。作業員は、調光シート１１の引掛け棒１４を保持部１３の一対の受け部１８の上に乗せることで、調光シート１１を第１側板８と第２側板９との間に水平に張る。
【００６７】
調光工程において、作業員は、磁石１７ｂを第２側板９に吸着させることによって、下部保持部２１の一対の受け部１８の各々を第２側板９に取り付ける。作業員は、下部調光シート１９の端部の引掛け棒１４を下部収納部２０から繰り出す。作業員は、下部調光シート１９の引掛け棒１４を下部保持部２１の一対の受け部１８の上に乗せることで、下部調光シート１９を第１側板８と第２側板９との間に水平に張る。
【００６８】
次に、作業員は、復旧工程として、開放工程において取り外した照明板１０を第１側板８および第２側板９の下端に取り付ける。
【００６９】
以上に説明したように、実施の形態２に係る調光装置６は、下部調光シート１９と、下部収納部２０と、下部保持部２１と、を備える。下部調光シート１９は、調光シート１１より下方において第１側板８および第２側板９の間に張られる。下部調光シート１９は、可視光を透過させる。下部収納部２０は、調光シート１１より下方において第１側板８に取り付けられる。下部収納部２０は、下部調光シート１９の端部が繰り出された状態で下部調光シート１９を収納する。下部保持部２１は、調光シート１１より下方において第２側板９に取り付けられる。下部保持部２１は、下部調光シート１９の端部を第２側板９に保持する。
【００７０】
調光シート１１および下部調光シート１９は、照明装置５の光源７より下方において第１側板８および第２側板９の間に上下に重ねて張られる。照明装置５から下方に放射される可視光の光量は、調光シート１１および下部調光シート１９の各々によって減少する。このため、作業員は、一種類の調光シート１１によって、かご１の内側の照度を２段階に調整できる。
【００７１】
なお、調光装置６は、下部調光シート１９よりさらに下方に張られる他の調光シートを備えてもよい。これにより、作業員は、かご１の内側の照度を多段階に調整できる。
【００７２】
また、調光シート１１および下部調光シート１９は、異なる構成であってもよい。収納部１２および下部収納部２０は、異なる構成であってもよい。保持部１３および下部保持部２１は、異なる構成であってもよい。
【００７３】
実施の形態３．
実施の形態３では、実施の形態１または実施の形態２で開示された例と相違する点について詳しく説明する。実施の形態３で説明しない特徴については、実施の形態１または実施の形態２で開示された例のいずれの特徴が採用されてもよい。
【００７４】
図７は、実施の形態３に係る調光装置が設けられる照明装置の垂直断面図である。
【００７５】
調光装置６は、第１折返し部２２を備える。
【００７６】
第１折返し部２２は、第１側板８の方向から張られる調光シート１１を折り返す部分である。第１折返し部２２は、曲げ部２３と、一対の取付け部２４と、を備える。曲げ部２３は、調光シート１１の幅方向に延びる棒である。曲げ部２３の長さは、調光シート１１の幅より長い。一対の取付け部２４の各々は、曲げ部２３の左右の各々の端部を支持する部材である。一対の取付け部２４の各々は、磁石１７ｃを備える。曲げ部２３は、一対の取付け部２４の各々の磁石１７ｃが吸着することによって第２側板９に取り付けられる。ここで、曲げ部２３は、第２側板９との間に隙間をあけて設けられる。当該隙間の曲げ部２３に平行な方向の長さは、調光シート１１の幅より長い。
【００７７】
保持部１３の一対の受け部１８の各々は、収納部１２の一対の芯ホルダー１６の各々に設けられる。一対の受け部１８の各々は、一対の芯ホルダー１６の各々の磁石１７ａが吸着することによって第１側板８に取り付けられる。
【００７８】
続いて、調光装置６の取付けによる照明装置５の調光方法を説明する。
【００７９】
まず、照明装置５の調光をする作業員は、開放工程として、照明板１０を取り外す。
【００８０】
次に、作業員は、取付け工程の作業を行う。作業員は、磁石１７ａを第１側板８に吸着させることによって、一対の芯ホルダー１６の各々を第１側板８に取り付ける。このとき、一対の芯ホルダー１６の各々は、光源７より下方に取り付けられる。作業員は、調光シート１１を巻き取ることで収納しているロール芯１５を一対の芯ホルダー１６の上に乗せる。作業員は、一対の取付け部２４の各々の磁石１７ｃを第２側板９に吸着させることで、第１折返し部２２を第２側板９に取り付ける。
【００８１】
次に、作業員は、調光工程の作業を行う。作業員は、調光シート１１の端部の引掛け棒１４を収納部１２から繰り出す。作業員は、調光シート１１の端部を、曲げ部２３と第２側板９との間の隙間に通す。第１側板８の方向から張られる調光シート１１は、曲げ部２３によって折り返される。作業員は、引掛け棒１４を一対の受け部１８の上に乗せることで、調光シート１１を第１側板８と第２側板９との間に水平に張る。ここで、調光シート１１は、第１側板８と第２側板９との間に二重に張られる。
【００８２】
次に、作業員は、復旧工程として、開放工程において取り外した照明板１０を第１側板８および第２側板９の下端に取り付ける。
【００８３】
以上に説明したように、実施の形態３に係る調光装置６は、調光シート１１と、収納部１２と、第１折返し部２２と、保持部１３と、を備える。照明装置５は、エレベーターのかごの天井に既設の装置である。照明装置５の第１側板８および第２側板９は、互いに対向する。調光シート１１は、照明装置５の光源７より下方において第１側板８および第２側板９の間に張られる。調光シート１１は、可視光を透過させる。収納部１２は、光源７より下方において第１側板８に取り付けられる。収納部１２は、調光シート１１の端部が繰り出された状態で調光シート１１を収納する。第１折返し部２２は、光源７より下方において第２側板９に取り付けられる。第１折返し部２２は、第１側板８の方向から張られる調光シートを折り返す。保持部１３は、収納部１２に設けられる。保持部１３は、調光シート１１の端部を第１側板８に保持する。
【００８４】
また、実施の形態３に係る調光方法は、開放工程と、取付け工程と、調光工程と、復旧工程と、を備える。照明装置５は、エレベーターのかごの天井に既設の装置である。照明装置５の第１側板８および第２側板９は、照明装置５の光源７より下方において互いに対向する。照明装置５の照明板１０は、第１側板８および第２側板９の下端に支持される。開放工程において、照明板１０は、取り外される。調光シート１１は、可視光を透過させる部材である。収納部１２は、調光シート１１の端部が繰り出された状態で調光シート１１を収納する部分である。第１折返し部２２は、第１側板８の方向から張られる調光シート１１を折り返す部分である。取付け工程において、収納部１２は、光源７より下方において第１側板８に取り付けられる。取付け工程において、第１折返し部２２は、光源７より下方において第２側板９に取り付けられる。保持部１３は、調光シート１１の端部を第１側板８に保持する部分である。保持部１３は、収納部１２に設けられる。調光工程において、調光シート１１は、収納部１２から繰り出される。調光工程において、調光シート１１は、第１折返し部２２で折り返される。調光工程において、保持部１３によって調光シート１１の端部が第１側板８に保持されることで、調光シート１１は、第１側板８および第２側板９の間に張られる。開放工程において取り外された照明板１０は、復旧工程において、調光シート１１より下方に取り付けられる。
【００８５】
調光シート１１は、照明装置５の光源７より下方において、第１側板８と第２側板９との間に上下に二重に張られる。照明装置５から下方に放射される可視光の光量は、二重に張られる調光シート１１によって二重に減少する。このため、作業員は、単一の調光シート１１によって、かご１の内側の照度を２段階に調整できる。
【００８６】
また、保持部１３は、収納部１２に設けられる。これにより、作業員は、収納部１２を第１側板８に取り付けることによって、保持部１３も第１側板８に取り付けることができる。このため、取付け工程の作業が簡単になる。
【００８７】
なお、調光工程において、作業員は、一対の取付け部２４の上に曲げ部２３に代えて調光シート１１の端部の引掛け棒１４を乗せてもよい。
【００８８】
実施の形態４．
実施の形態４では、実施の形態１から実施の形態３で開示された例と相違する点について詳しく説明する。実施の形態４で説明しない特徴については、実施の形態１から実施の形態３で開示された例のいずれの特徴が採用されてもよい。
【００８９】
図８は、実施の形態４に係る調光装置６が設けられる照明装置５の垂直断面図である。
【００９０】
第１折返し部２２は、上部曲げ部２３ａと、一対の上部取付け部２４ａと、下部曲げ部２３ｂと、一対の下部取付け部２４ｂと、を備える。
【００９１】
上部曲げ部２３ａは、調光シート１１の幅方向に延びる棒である。上部曲げ部２３ａの長さは、調光シート１１の幅より長い。一対の上部取付け部２４ａの各々は、上部曲げ部２３ａの左右の各々の端部を支持する部材である。上部曲げ部２３ａは、一対の上部取付け部２４ａの各々の磁石１７ｃが吸着することによって第２側板９に取り付けられる。ここで、上部曲げ部２３ａは、第２側板９との間に隙間をあけて設けられる。当該隙間の上部曲げ部２３ａに平行な方向の長さは、調光シート１１の幅より長い。
【００９２】
下部曲げ部２３ｂは、調光シート１１の幅方向に延びる棒である。下部曲げ部２３ｂの長さは、調光シート１１の幅より長い。一対の下部取付け部２４ｂの各々は、下部曲げ部２３ｂの左右の各々の端部を支持する部材である。下部曲げ部２３ｂは、一対の下部取付け部２４ｂの各々の磁石１７ｃが吸着することによって上部曲げ部２３ａと独立に第２側板９に取り付けられる。ここで、下部曲げ部２３ｂは、第２側板９との間に隙間をあけて設けられる。当該隙間の下部曲げ部２３ｂに平行な方向の長さは、調光シート１１の幅より長い。下部曲げ部２３ｂは、上部曲げ部２３ａの下方に設けられる。下部曲げ部２３ｂは、上部曲げ部２３ａと平行に設けられる。
【００９３】
保持部１３は、一対の受け部１８を備える。一対の受け部１８の各々は、磁石１７ｂを備える。一対の受け部１８の各々は、磁石１７ｂが吸着することによって第１側板８に取り付けられる。
【００９４】
続いて、調光装置６の取付けによる照明装置５の調光方法を説明する。
【００９５】
まず、照明装置５の調光をする作業員は、開放工程として、照明板１０を取り外す。
【００９６】
次に、作業員は、取付け工程の作業を行う。作業員は、磁石１７ａを第１側板８に吸着させることによって、一対の芯ホルダー１６の各々を第１側板８に取り付ける。このとき、一対の芯ホルダー１６の各々は、光源７より下方に取り付けられる。作業員は、調光シート１１を巻き取ることで収納しているロール芯１５を一対の芯ホルダー１６の上に乗せる。作業員は、一対の上部取付け部２４ａの各々の磁石１７ｃを第２側板９に吸着させることで、上部曲げ部２３ａを第２側板９に取り付ける。作業員は、一対の下部取付け部２４ｂの各々の磁石１７ｃを第２側板９に吸着させることで、下部曲げ部２３ｂを第２側板９に取り付ける。
【００９７】
次に、作業員は、調光工程の作業を行う。作業員は、磁石１７ｂを第１側板８に吸着させることによって、一対の受け部１８の各々を第１側板８に取り付ける。一対の受け部１８は、一対の芯ホルダー１６の下方に設けられる。作業員は、調光シート１１の端部の引掛け棒１４を収納部１２から繰り出す。作業員は、調光シート１１の端部を、上部曲げ部２３ａと第２側板９との間の隙間に通す。第１側板８の方向から張られる調光シート１１は、上部曲げ部２３ａによって下方に折り曲げられる。作業員は、調光シート１１の端部を、下部曲げ部２３ｂと第２側板９との間の隙間に通す。上部曲げ部２３ａで折り曲げられた調光シート１１は、下部曲げ部２３ｂによって第１側板８の方向に折り曲げられる。作業員は、引掛け棒１４を一対の受け部１８の上に乗せることで、調光シート１１を第１側板８と第２側板９との間に水平に張る。ここで、調光シート１１は、第１側板８と第２側板９との間に二重に張られる。
【００９８】
調光工程において、作業員は、調光シート１１が収納部１２および上部曲げ部２３ａの間に張る面と下部曲げ部２３ｂおよび保持部１３の間に張る面との間隔を調整することでかご１の内側の照度を微調整してもよい。
【００９９】
次に、作業員は、復旧工程として、開放工程において取り外した照明板１０を第１側板８および第２側板９の下端に取り付ける。
【０１００】
以上に説明したように、実施の形態４に係る調光装置６は、調光シート１１と、収納部１２と、第１折返し部２２と、保持部１３と、を備える。照明装置５は、エレベーターのかごの天井に既設の装置である。照明装置５の第１側板８および第２側板９は、互いに対向する。調光シート１１は、照明装置５の光源７より下方において第１側板８および第２側板９の間に張られる。調光シート１１は、可視光を透過させる。収納部１２は、光源７より下方において第１側板８に取り付けられる。収納部１２は、調光シート１１の端部が繰り出された状態で調光シート１１を収納する。第１折返し部２２は、光源７より下方において第２側板９に取り付けられる。第１折返し部２２は、第１側板８の方向から張られる調光シートを折り返す。保持部１３は、収納部１２より下方において第１側板８に取り付けられる。保持部１３は、調光シート１１の端部を第１側板８に保持する。
【０１０１】
また、実施の形態４に係る調光方法は、開放工程と、取付け工程と、調光工程と、復旧工程と、を備える。照明装置５は、エレベーターのかごの天井に既設の装置である。照明装置５の第１側板８および第２側板９は、照明装置５の光源７より下方において互いに対向する。照明装置５の照明板１０は、第１側板８および第２側板９の下端に支持される。開放工程において、照明板１０は、取り外される。調光シート１１は、可視光を透過させる部材である。収納部１２は、調光シート１１の端部が繰り出された状態で調光シート１１を収納する部分である。第１折返し部２２は、第１側板８の方向から張られる調光シート１１を折り返す部分である。取付け工程において、収納部１２は、光源７より下方において第１側板８に取り付けられる。取付け工程において、第１折返し部２２は、光源７より下方において第２側板９に取り付けられる。保持部１３は、調光シート１１の端部を第１側板８に保持する部分である。保持部１３は、第１側板８に取り付けられる。調光工程において、調光シート１１は、収納部１２から繰り出される。調光工程において、調光シート１１は、第１折返し部２２で折り返される。調光工程において、保持部１３によって調光シート１１の端部が第１側板８に保持されることで、調光シート１１は、第１側板８および第２側板９の間に張られる。開放工程において取り外された照明板１０は、復旧工程において、調光シート１１より下方に取り付けられる。
【０１０２】
調光シート１１は、照明装置５の光源７より下方において、第１側板８と第２側板９との間に上下に二重に張られる。照明装置５から下方に放射される可視光の光量は、二重に張られる調光シート１１によって二重に減少する。このため、作業員は、単一の調光シート１１によって、かご１の内側の照度を２段階に調整できる。
【０１０３】
また、第１折返し部２２は、上部曲げ部２３ａと、下部曲げ部２３ｂと、を備える。上部曲げ部２３ａは、第２側板９に取り付けられる。上部曲げ部２３ａは、第１側板８の方向から張られる調光シート１１を下方に折り曲げる。下部曲げ部２３ｂは、上部曲げ部２３ａと独立に第２側板９に取り付けられる。下部曲げ部２３ｂは、上部曲げ部２３ａで折り曲げられた調光シート１１を第１側面の方向に折り曲げる。
【０１０４】
これにより、調光シート１１が収納部１２および上部曲げ部２３ａの間に張る面と下部曲げ部２３ｂおよび保持部１３の間に張る面との間隔が調整できる。当該間隔の調整によって、例えば照明装置５の内面などに吸収される反射または拡散された可視光の割合が変化する。このため、作業員は、当該間隔の調整によってかご１の内側の照度を連続的に微調整できる。
【０１０５】
また、保持部１３は、第１側板８に吸着する磁石１７ｂによって取り付けられる。
【０１０６】
これにより、作業員は、第１側板８を加工することなく保持部１３を取り付けられる。また、作業員は、工具を用いずに保持部１３を取り付けられる。このため、作業員は、既設の照明装置５に調光装置６を容易に取り付けられる。また、保持部１３の取り外しも容易になる。このため、保持部１３の取付け位置の調整が容易になる。
【０１０７】
実施の形態５．
実施の形態５では、実施の形態１から実施の形態４で開示された例と相違する点について詳しく説明する。実施の形態５で説明しない特徴については、実施の形態１から実施の形態４で開示された例のいずれの特徴が採用されてもよい。
【０１０８】
図９は、実施の形態５に係る調光装置が設けられる照明装置の垂直断面図である。
【０１０９】
調光装置６は、第２折返し部２５を備える。第２折返し部２５は、第２側板９の方向から張られる調光シート１１を折り返す部分である。第２折返し部２５は、第１側板８に取り付けられる。第２折返し部２５は、上部曲げ部２３ａと、一対の上部取付け部２４ａと、下部曲げ部２３ｂと、一対の下部取付け部２４ｂと、を備える。
【０１１０】
続いて、調光装置６の取付けによる照明装置５の調光方法を説明する。
【０１１１】
まず、照明装置５の調光をする作業員は、開放工程として、照明板１０を取り外す。
【０１１２】
次に、作業員は、取付け工程の作業を行う。作業員は、磁石１７ａを第１側板８に吸着させることによって、一対の芯ホルダー１６の各々を第１側板８に取り付ける。このとき、一対の芯ホルダー１６の各々は、光源７より下方に取り付けられる。作業員は、調光シート１１を巻き取ることで収納しているロール芯１５を一対の芯ホルダー１６の上に乗せる。作業員は、第１折返し部２２の一対の取付け部２４の各々の磁石１７ｃを第２側板９に吸着させることで、第１折返し部２２の上部曲げ部２３ａを第２側板９に取り付ける。作業員は、第１折返し部２２の一対の取付け部２４の各々の磁石１７ｃを第２側板９に吸着させることで、第１折返し部２２の下部曲げ部２３ｂを第２側板９に取り付ける。作業員は、第２折返し部２５の一対の取付け部２４の各々の磁石１７ｃを第１側板８に吸着させることで、第２折返し部２５の上部曲げ部２３ａを第１側板８に取り付ける。作業員は、第２折返し部２５の一対の取付け部２４の各々の磁石１７ｃを第１側板８に吸着させることで、第２折返し部２５の下部曲げ部２３ｂを第１側板８に取り付ける。第２折返し部２５は、収納部１２の下方に設けられる。
【０１１３】
次に、作業員は、調光工程の作業を行う。作業員は、磁石１７ｂを第２側板９に吸着させることによって、一対の受け部１８の各々を第２側板９に取り付ける。作業員は、調光シート１１の端部の引掛け棒１４を収納部１２から繰り出す。一対の受部は、第１折返し部２２の下方に設けられる。作業員は、調光シート１１の端部を、第１折返し部２２の上部曲げ部２３ａと第２側板９との間の隙間に通す。前記第１側板８の方向から張られる調光シート１１は、第１折返し部２２の上部曲げ部２３ａによって下方に折り曲げられる。作業員は、調光シート１１の端部を、第１折返し部２２の下部曲げ部２３ｂと第２側板９との間の隙間に通す。第１折返し部２２の上部曲げ部２３ａで折り曲げられた調光シート１１は、第１折返し部２２の下部曲げ部２３ｂによって第１側板８の方向に折り曲げられる。作業員は、調光シート１１の端部を、第２折返し部２５の上部曲げ部２３ａと第１側板８との間の隙間に通す。前記第２側板９の方向から張られる調光シート１１は、第２折返し部２５の上部曲げ部２３ａによって下方に折り曲げられる。作業員は、調光シート１１の端部を、第２折返し部２５の下部曲げ部２３ｂと第１側板８との間の隙間に通す。第２折返し部２５の上部曲げ部２３ａで折り曲げられた調光シート１１は、第２折返し部２５の下部曲げ部２３ｂによって第２側板９の方向に折り曲げられる。作業員は、引掛け棒１４を一対の受け部１８の上に乗せることで、調光シート１１を第１側板８と第２側板９との間に水平に張る。ここで、調光シート１１は、第１側板８と第２側板９との間に三重に張られる。
【０１１４】
次に、作業員は、復旧工程として、開放工程において取り外した照明板１０を第１側板８および第２側板９の下端に取り付ける。
【０１１５】
以上に説明したように、実施の形態５に係る調光装置６は、第１折返し部２２と、第２折返し部２５と、を備える。第１折返し部２２は、光源７より下方において第２側板９に取り付けられる。第１折返し部２２は、第１側板８の方向から張られる調光シート１１を折り返す。第２折返し部２５は、収納部１２より下方において第１側板８に取り付けられる。第２折返し部２５は、第２側板９の方向から張られる調光シート１１を折り返す。保持部１３は、第１折返し部２２より下方において第２側板９に取り付けられる。
【０１１６】
調光シート１１は、照明装置５の光源７より下方において、第１側板８および第２側板９の間に上下に三重に張られる。照明装置５から下方に放射される可視光の光量は、三重に張られる調光シート１１によって三重に減少する。このため、作業員は、単一の調光シート１１によって、かご１の内側の照度を３段階に調整できる。
【０１１７】
なお、調光装置６は、第２折返し部２５で折り返された調光シート１１をさらに折り返す他の折返し部を備えてもよい。
【０１１８】
実施の形態６．
実施の形態６では、実施の形態１から実施の形態５で開示された例と相違する点について詳しく説明する。実施の形態６で説明しない特徴については、実施の形態１から実施の形態５で開示された例のいずれの特徴が採用されてもよい。
【０１１９】
図１０は、実施の形態６に係る調光装置が設けられる照明装置の垂直断面図である。
【０１２０】
保持部１３は、磁石を備える。保持部１３は、調光シート１１の端部に設けられる。
【０１２１】
続いて、調光装置６の取付けによる照明装置５の調光方法を説明する。
【０１２２】
まず、照明装置５の調光をする作業員は、開放工程として、照明板１０を取り外す。
【０１２３】
次に、作業員は、取付け工程の作業を行う。作業員は、磁石１７ａを第１側板８に吸着させることによって、一対の芯ホルダー１６の各々を第１側板８に取り付ける。このとき、一対の芯ホルダー１６の各々は、光源７より下方に取り付けられる。作業員は、調光シート１１を巻き取ることで収納しているロール芯１５を一対の芯ホルダー１６の上に乗せる。
【０１２４】
次に、作業員は、調光工程の作業を行う。作業員は、調光シート１１を収納部１２から繰り出す。作業員は、調光シート１１の端部に設けられた保持部１３の磁石を第２側板９に吸着させることによって、調光シート１１を第１側板８と第２側板９との間に水平に張る。
【０１２５】
次に、作業員は、復旧工程として、開放工程において取り外した照明板１０を第１側板８および第２側板９の下端に取り付ける。
【０１２６】
以上に説明したように、実施の形態６に係る調光装置６の保持部１３は、調光シート１１の端部に設けられる。
【０１２７】
これにより、調光シート１１と保持部１３とが一体に構成される。このため、調光装置６がコンパクトになる。特に、保持部１３がコンパクトになる。また、作業員は、保持部１３を第２側板９に取り付けることによって調光シート１１を張ることができる。このため、調光の作業が簡単になる。
【０１２８】
保持部１３は、可視光を調光シート１１より強く遮蔽しうる。このため、保持部１３は、第１側板８または第２側板９において、光源７によって保持部１３の影が生じない位置に取り付けられる。このことから、保持部１３がコンパクトになることで、調光装置６が取付けられる位置の自由度が高くなる。
【０１２９】
実施の形態７．
実施の形態７では、実施の形態１から実施の形態６で開示された例と相違する点について詳しく説明する。実施の形態７で説明しない特徴については、実施の形態１から実施の形態６で開示された例のいずれの特徴が採用されてもよい。
【０１３０】
図１１は、実施の形態７に係る調光装置が設けられる照明装置の垂直断面図である。
【０１３１】
保持部１３は、磁石を備える。保持部１３は、調光シート１１の端部に設けられる。
【０１３２】
収納部１２のロール芯１５は、第１側板８との間に隙間をあけて設けられる。当該隙間の収納部１２が延びる方向の長さは、調光シート１１の幅より長い。収納部１２が延びる方向は、ロール芯１５に平行な方向である。
【０１３３】
第１折返し部２２の上部曲げ部２３ａおよび下部曲げ部２３ｂは、第２側板９との間に隙間をあけて設けられる。当該隙間の上部曲げ部２３ａおよび下部曲げ部２３ｂに平行な方向の長さは、調光シート１１の幅より長い。上部曲げ部２３ａおよび下部曲げ部２３ｂは、例えば収納部１２の高さに合わせた間隔を上下方向に空けて設けられる。収納部１２の高さは、例えば芯ホルダー１６に巻かれて収納される調光シート１１の外径である。
【０１３４】
続いて、調光装置６の取付けによる照明装置５の調光方法を説明する。
【０１３５】
まず、照明装置５の調光をする作業員は、開放工程として、照明板１０を取り外す。
【０１３６】
次に、作業員は、取付け工程の作業を行う。作業員は、磁石１７ａを第１側板８に吸着させることによって、一対の芯ホルダー１６の各々を第１側板８に取り付ける。このとき、一対の芯ホルダー１６の各々は、光源７より下方に取り付けられる。作業員は、調光シート１１を巻き取ることで収納しているロール芯１５を一対の芯ホルダー１６の上に乗せる。作業員は、一対の取付け部２４の各々の磁石１７ｃを第２側板９に吸着させることで、第１折返し部２２を第２側板９に取り付ける。
【０１３７】
次に、作業員は、調光工程の作業を行う。作業員は、調光シート１１を収納部１２から繰り出す。作業員は、調光シート１１の端部を、上部曲げ部２３ａおよび下部曲げ部２３ｂと第２側板９との間の隙間に通す。第１側板８の方向から張られる調光シート１１は、上部曲げ部２３ａおよび下部曲げ部２３ｂによって折り返される。作業員は、調光シート１１の端部を、ロール芯１５と第１側板８との間の隙間に通す。第２側板９の方向から張られる調光シート１１は、収納部１２に巻かれることによって折り返される。このように、作業員は、調光シート１１を収納部１２および第１折返し部２２に一周巻き回す。作業員は、調光シート１１の端部に設けられた保持部１３の磁石を第２側板９に吸着させることによって、調光シート１１を第１側板８と第２側板９との間に水平に張る。ここで、調光シート１１は、第１側板８と第２側板９との間に多重に張られる。
【０１３８】
次に、作業員は、復旧工程として、開放工程において取り外した照明板１０を第１側板８および第２側板９の下端に取り付ける。
【０１３９】
なお、調光工程において、作業員は、半周を単位として一周以上、調光シート１１を巻き回すことでかご１の内側の照度を調整してもよい。
【０１４０】
以上に説明したように、実施の形態７に係る調光装置６は、第１折返し部２２を備える。第１折返し部２２は、光源７より下方において第２側板９との間に調光シート１１の幅より長い隙間をあけて第２側板９に取り付けられる。第１折返し部２２は、第１側板８の方向から張られる調光シート１１を折り返す。収納部１２は、第１側板８との間に調光シート１１の幅より長い隙間をあけて設けられる。調光シート１１は、収納部１２および第１折返し部２２に１周以上巻き回される。
【０１４１】
また、実施の形態７に係る調光方法において、第１折返し部２２は、第１側板８の方向から張られる調光シート１１を折り返す部分である。取付け工程において、収納部１２は、第１側板８との間に調光シート１１の幅より長い隙間をあけて設けられる。第１折返し部２２は、光源７より下方において第２側板９との間に調光シート１１の幅より長い隙間をあけて第２側板９に取り付けられる。調光工程において、調光シート１１は、収納部１２および第１折返し部２２に１周以上巻き回される。
【０１４２】
なお、作業員は、調光シート１１の端部に設けられた保持部１３の磁石を第１側板８に吸着させることによって、調光シート１１を第１側板８と第２側板９との間に水平に張ってもよい。
【０１４３】
このとき、収納部１２は、第１側板８との間に調光シート１１の幅より長い隙間をあけて設けられる。第１折返し部２２は、第２側板９との間に調光シート１１の幅より長い隙間をあけて設けられる。調光シート１１は、収納部１２および第１折返し部２２に１周以上巻き回される。
【０１４４】
また、調光方法の取付け工程において、収納部１２は、第１側板８との間に調光シート１１の幅より長い隙間をあけて設けられる。取付け工程において、第１折返し部２２が第２側板９との間に調光シート１１の幅より長い隙間をあけて設けられる。調光工程において、調光シート１１は、収納部１２および第１折返し部２２に１周以上巻き回される。
【０１４５】
調光シート１１は、照明装置５の光源７より下方において、第１側板８と第２側板９との間に多重に張られる。照明装置５から下方に放射される可視光の光量は、多重に張られる調光シート１１によって多重に減少する。このため、作業員は、単一の調光シート１１によって、かご１の内側の照度を多段階に調整できる。
【０１４６】
調光装置６は、第１折返し部２２の他に調光シート１１を折り返す折返し部を必要とすることなく、調光シート１１を多重に張る。これにより、調光装置６の上下方向の厚みが小さくなる。このため、調光装置６は、光源７から照明板１０までの間隔が小さい既設の照明装置５に対しても適用できる。
【０１４７】
なお、第１折返し部２２は、上部曲げ部２３ａおよび下部曲げ部２３ｂに替えて、単一の曲げ部２３を備えてもよい。曲げ部２３の断面形状は、例えば長円または楕円であってもよい。
【符号の説明】
【０１４８】
１  かご、  ２  利用者、  ３  かご扉、  ４  かご操作盤、  ５  照明装置、  ６  調光装置、  ７  光源、  ８  第１側板、  ９  第２側板、  １０  照明板、  １１  調光シート、  １２  収納部、  １３  保持部、  １４  引掛け棒、  １５  ロール芯、  １６  芯ホルダー、  １７ａ、１７ｂ、１７ｃ  磁石、  １８  受け部、  １９  下部調光シート、  ２０  下部収納部、  ２１  下部保持部、  ２２  第１折返し部、  ２３  曲げ部、  ２４  取付け部、  ２３ａ  上部曲げ部、  ２４ａ  上部取付け部、  ２３ｂ  下部曲げ部、  ２４ｂ  下部取付け部、  ２５  第２折返し部
【図１】
2020040793.tif 000003
【図２】
2020040793.tif 000004
【図３】
2020040793.tif 000005
【図４】
2020040793.tif 000006
【図５】
2020040793.tif 000007
【図６】
2020040793.tif 000008
【図７】
2020040793.tif 000009
【図８】
2020040793.tif 000010
【図９】
2020040793.tif 000011
【図１０】
2020040793.tif 000012
【図１１】
2020040793.tif 000013